(57)【要約】【課題】屋外に設置されたエスカレーターにおける作業環境を向上させることができ、且つ、作業現場で容易に組み立てを行うことができる作業用シールド装置を提供する。【解決手段】本作業用シールド装置は、一対の上部フレーム１及び２と、一対の下部フレーム３及び４と、手摺グリップ２８及び３１と、シールド装置３２とを備える。上部フレーム１及び２、上部フレーム１及び下部フレーム３、並びに、上部フレーム２及び下部フレーム４は、支持フレーム５、１６、２７により、各間隔が調節自在となるように支持されている。シールド装置３２には、上部フレーム１及び２間方向に軸方向を有する支持軸３４と、支持軸３４に巻き付けられたスクリーン３５と、スクリーン３５の先端部に設けられフック３６とが備えられている。【選択図】図１
2012206802.tif 000002
【特許請求の範囲】
【請求項１】
一対の第１上部フレーム及び第２上部フレームと、
前記第１上部フレーム及び前記第２上部フレームに連結され、前記第１上部フレーム及び前記第２上部フレームを、その間隔が所定の範囲内で調節自在となるように支持する第１支持フレームと、
一対の第１下部フレーム及び第２下部フレームと、
前記第１上部フレーム及び前記第１下部フレームに連結され、前記第１上部フレーム及び前記第１下部フレームを、その間隔が所定の範囲内で調節自在となるように支持する第２支持フレームと、
前記第２上部フレーム及び前記第２下部フレームに連結され、前記第２上部フレーム及び前記第２下部フレームを、その間隔が所定の範囲内で調節自在となるように支持する第３支持フレームと、
前記第１下部フレームに設けられ、前記第１下部フレームをエスカレーターの移動手摺に着脱自在に取り付けるための第１取付手段と、
前記第２下部フレームに設けられ、前記第２下部フレームをエスカレーターの移動手摺に着脱自在に取り付けるための第２取付手段と、
前記第１上部フレーム及び前記第２上部フレームに着脱自在に設けられた第１シールド装置と、
を備え、
前記第１シールド装置は、
前記第１上部フレーム及び前記第２上部フレーム間方向に軸方向を有する第１支持軸と、
前記第１支持軸に巻き付けられた第１スクリーンと、
前記第１スクリーンの先端部に設けられ、前記第１スクリーンの先端部をエスカレーターの所定箇所に着脱自在に固定するための第１固定手段と、
を備えたことを特徴とするエスカレーターの作業用シールド装置。
【請求項２】
前記第１上部フレーム及び前記第２上部フレームの一方に着脱自在に設けられた第２シールド装置と、
を更に備え
前記第２シールド装置は、
前記一方の長手方向に軸方向を有する第２支持軸と、
前記第２支持軸に巻き付けられた第２スクリーンと、
前記第２スクリーンの先端部に設けられ、前記第２スクリーンの先端部を所定箇所に着脱自在に固定するための第２固定手段と、
を備えたことを特徴とする請求項１に記載のエスカレーターの作業用シールド装置。
【請求項３】
前記第２シールド装置は、前記第１上部フレーム及び前記第２上部フレームの他方にも着脱自在に固定可能なことを特徴とする請求項２に記載のエスカレーターの作業用シールド装置。
【請求項４】
前記第１上部フレームの一端部及び前記第２上部フレームの一端部間に着脱自在に固定された樋と、
を更に備え、
前記第１シールド装置は、前記第１上部フレームの他端部及び前記第２上部フレームの他端部間に配置されたことを特徴とする請求項１から請求項３の何れかに記載のエスカレーターの作業用シールド装置。
【発明の詳細な説明】
【技術分野】
【０００１】
この発明は、エスカレーターの保守点検時等に使用される作業用シールド装置に関するものである。
【背景技術】
【０００２】
エスカレーターで故障等が発生すると、トラス内での作業が長時間に及ぶことがある。これは、屋外に設置されたエスカレーターでも例外ではない。
屋外に設置されたエスカレーターで作業を行う場合、その作業性は、エスカレーターの設置環境や天候等によって大きく左右されてしまう。例えば、夏場に直射日光が当たる場所で作業を行う場合や冬場の強風時に作業を行う場合、雨天時に作業を行う場合は、その作業性が大幅に悪化してしまう。
【０００３】
屋外での作業環境を向上させるための従来技術として、例えば、エスカレーターの作業場所の上方に、簡易的な屋根を仮設するものが提案されている（例えば、下記特許文献１及び２参照）。
【先行技術文献】
【特許文献】
【０００４】
【特許文献１】特開平８−１３３６５４号公報
【特許文献２】特開平８−２５９１６８号公報
【発明の概要】
【発明が解決しようとする課題】
【０００５】
特許文献１及び２に記載のものでは、作業場所に合わせて屋根を仮設することができるものの、骨組みの連結やシートの設置等、その組み立てに手間を要するといった問題があった。
【０００６】
また、特許文献１及び２に記載のものをエスカレーターの傾斜部分に設置すると、斜め上向き（エスカレーターの上部乗降口側）に大きな開口が形成されてしまう。このため、エスカレーターの設置環境や天候等によっては、日差しが上記開口から照りつけたり、雨や風が上記開口から吹き込んだりすることがあった。
【０００７】
この発明は、上述のような課題を解決するためになされたもので、その目的は、屋外に設置されたエスカレーターにおける作業環境を向上させることができ、且つ、作業現場で容易に組み立てを行うことができる作業用シールド装置を提供することである。
【課題を解決するための手段】
【０００８】
この発明に係るエスカレーターの作業用シールド装置は、一対の第１上部フレーム及び第２上部フレームと、第１上部フレーム及び第２上部フレームに連結され、第１上部フレーム及び第２上部フレームを、その間隔が所定の範囲内で調節自在となるように支持する第１支持フレームと、一対の第１下部フレーム及び第２下部フレームと、第１上部フレーム及び第１下部フレームに連結され、第１上部フレーム及び第１下部フレームを、その間隔が所定の範囲内で調節自在となるように支持する第２支持フレームと、第２上部フレーム及び第２下部フレームに連結され、第２上部フレーム及び第２下部フレームを、その間隔が所定の範囲内で調節自在となるように支持する第３支持フレームと、第１下部フレームに設けられ、第１下部フレームをエスカレーターの移動手摺に着脱自在に取り付けるための第１取付手段と、第２下部フレームに設けられ、第２下部フレームをエスカレーターの移動手摺に着脱自在に取り付けるための第２取付手段と、第１上部フレーム及び第２上部フレームに着脱自在に設けられた第１シールド装置と、を備え、第１シールド装置は、第１上部フレーム及び第２上部フレーム間方向に軸方向を有する第１支持軸と、第１支持軸に巻き付けられた第１スクリーンと、第１スクリーンの先端部に設けられ、第１スクリーンの先端部をエスカレーターの所定箇所に着脱自在に固定するための第１固定手段と、を備えたものである。
【発明の効果】
【０００９】
この発明に係るエスカレーターの作業用シールド装置であれば、屋外に設置されたエスカレーターにおける作業環境を向上させることができる。また、作業現場において、容易に組み立てを行うことができる。
【図面の簡単な説明】
【００１０】
【図１】この発明の実施の形態１におけるエスカレーターの作業用シールド装置を示す側面図である。
【図２】この発明の実施の形態１におけるエスカレーターの作業用シールド装置を示す平面図である。
【図３】この発明の実施の形態１におけるエスカレーターの作業用シールド装置の要部を示す正面図である。
【図４】本作業用シールド装置をエスカレーターに取り付けた状態を示す側面図である。
【図５】図４に示すＡ−Ａ矢視図である。
【図６】本作業用シールド装置の他の構成例を示す図である。
【発明を実施するための形態】
【００１１】
この発明をより詳細に説明するため、添付の図面に従ってこれを説明する。なお、各図中、同一又は相当する部分には同一の符号を付しており、その重複説明は適宜に簡略化ないし省略する。
【００１２】
実施の形態１．
図１はこの発明の実施の形態１におけるエスカレーターの作業用シールド装置を示す側面図、図２はその平面図、図３はその要部を示す正面図である。また、図４は本作業用シールド装置をエスカレーターに取り付けた状態を示す側面図、図５は図４に示すＡ−Ａ矢視図である。
本作業用シールド装置は、エスカレーターの保守点検時等にエスカレーターに取り付けて使用されるものである。
【００１３】
図１乃至図５において、１及び２は一対の上部フレーム、３及び４は一対の下部フレームである。
上部フレーム１及び２は、例えば、同じ長さを有する棒状部材からなる。上部フレーム１及び２は、互いに対向するように平行に配置されている。下部フレーム３及び４は、例えば、上部フレーム１及び２と同じ長さを有する棒状部材からなる。下部フレーム３及び４は、互いに平行に配置され、且つ、上部フレーム１及び２とも平行に配置されている。
【００１４】
５は上部フレーム１及び２の間に連結された支持フレームである。支持フレーム５は、上部フレーム１及び２を、その間隔が所定の範囲内で調節自在となるように支持するためのものである。支持フレーム５は、全体としてＸ字状を呈しており、例えば、伸縮フレーム６乃至９、フレーム支持軸１０乃至１４、連結材１５によりその要部が構成される。
【００１５】
伸縮フレーム６乃至９は、その長手に伸縮自在な棒状部材からなる。伸縮フレーム６は、一端部が、フレーム支持軸１０を介して上部フレーム１の一端部に回転自在に設けられている。同様に、伸縮フレーム７は、一端部がフレーム支持軸１１を介して上部フレーム１の他端部に、伸縮フレーム８は、一端部がフレーム支持軸１２を介して上部フレーム２の一端部に、伸縮フレーム９は、一端部がフレーム支持軸１３を介して上部フレーム２の他端部に回転自在に設けられている。また、伸縮フレーム６乃至９の各他端部は、フレーム支持軸１４を介して、上記Ｘ字状の中央部分に配置された連結材１５に回転自在に設けられている。
【００１６】
１６は上部フレーム１及び下部フレーム３の間に連結された支持フレームである。支持フレーム１６は、上部フレーム１及び下部フレーム３を、その間隔が所定の範囲内で調節自在となるように支持するためのものである。支持フレーム１６の基本構成は、上記支持フレーム５の構成と同じである。即ち、支持フレーム１６は、全体としてＸ字状を呈しており、例えば、伸縮フレーム１７乃至２０、フレーム支持軸２１乃至２５、連結材２６によりその要部が構成される。
【００１７】
伸縮フレーム１７乃至２０は、その長手に伸縮自在な棒状部材からなる。伸縮フレーム１７は、一端部が、フレーム支持軸２１を介して上部フレーム１の一端部に回転自在に設けられている。同様に、伸縮フレーム１８は、一端部がフレーム支持軸２２を介して上部フレーム１の他端部に、伸縮フレーム１９は、一端部がフレーム支持軸２３を介して下部フレーム３の一端部に、伸縮フレーム２０は、一端部がフレーム支持軸２４を介して下部フレーム３の他端部に回転自在に設けられている。また、伸縮フレーム１７乃至２０の各他端部は、フレーム支持軸２５を介して、上記Ｘ字状の中央部分に配置された連結材２６に回転自在に設けられている。
【００１８】
２７は上部フレーム２及び下部フレーム４の間に連結された支持フレームである。支持フレーム２７は、上部フレーム２及び下部フレーム４を、その間隔が所定の範囲内で調節自在となるように支持するためのものである。支持フレーム２７は、上記支持フレーム１６と同様の構成を有している。即ち、支持フレーム２７は、全体としてＸ字状を呈しており、例えば、４本の伸縮フレームと、各伸縮フレームの端部を回転自在に支持するフレーム支持軸と、上記Ｘ字状の中央部分に配置された連結材とによりその要部が構成される。
【００１９】
本作業用シールド装置は、その骨組みが上記のように構成されている。このため、支持フレーム５、１６、２７を調節することにより、その幅及び高さを任意に変更することができる。また、支持フレーム５、１６、２７を完全に折り畳んでしまえば、骨組み全体を一束にして最小の大きさにすることも可能である。
【００２０】
２８は下部フレーム３に設けられた手摺グリップである。手摺グリップ２８は、図４及び図５に詳細が示されているように、下部フレーム３をエスカレーターの移動手摺２９に取り付けるための取付手段を構成する。手摺グリップ２８は、例えば、移動手摺２９を外側から覆う断面Ｃ字状を呈しており、移動手摺２９の任意の場所に着脱自在となるように構成されている。手摺グリップ２８は、取付ボルト３０により、下部フレーム３の一端部下面と他端部下面とに固定されている。
なお、下部フレーム４にも、上記手摺グリップ２８と同様の構成及び機能を有する手摺グリップ３１が設けられている。
【００２１】
３２は上部フレーム１及び２の各上面に設けられたシールド装置である。シールド装置３２は、上部フレーム１及び２に着脱自在な構成を有しており、上部フレーム１及び２の各他端部間に、上部フレーム１及び２の長手と直交するように配置されている。
【００２２】
シールド装置３２は、固定台３３、支持軸３４、スクリーン３５、フック３６により、その要部が構成される。
固定台３３は、上部フレーム１及び２の各他端部間に固定されており、支持軸３４が回転自在に設けられている。支持軸３４は、その軸方向が、上部フレーム１及び２間方向、即ち、上部フレーム１及び２の長手と直交する方向に配置されている。スクリーン３５は、雨や風、日差しを遮蔽するためのものであり、支持軸３４に巻き付けられている。フック３６は、スクリーン３５の先端部に設けられている。フック３６は、スクリーン３５の先端部をエスカレーターの所定箇所に着脱自在に固定するための固定手段を構成する。
【００２３】
３７は上部フレーム２の上面に設けられたシールド装置である。シールド装置３７は、上部フレーム２に着脱自在な構成を有しており、上部フレーム２の長手に沿って配置されている。
【００２４】
シールド装置３７の基本構成は、シールド装置３２の構成と同様である。シールド装置３７は、固定台、支持軸（共に、詳細は図示せず）、スクリーン３８、フック３９により、その要部が構成される。
固定台に回転自在に設けられた支持軸は、その軸方向が、上部フレーム２の長手方向に配置されている。スクリーン３８は、雨や風、日差しを遮蔽するためのものであり、上記支持軸に巻き付けられている。フック３９は、スクリーン３８の先端部に設けられている。フック３９は、スクリーン３８の先端部を下部フレーム３（或いは、上部フレーム１）に着脱自在に固定するための固定手段を構成する。
【００２５】
なお、シールド装置３７を上部フレーム１及び２の双方に固定可能に構成しても良い。かかる場合、シールド装置３７は、上部フレーム１に対しても着脱自在に構成される。また、シールド装置３７が上部フレーム１に取り付けられた場合、上記支持軸は、その軸方向が上部フレーム１の長手方向に配置される。フック３９は、スクリーン３８の先端部を下部フレーム４や上部フレーム２に固定する。
【００２６】
４０は、例えば、雨天時に使用される樋である。樋４０は上部フレーム１及び２に着脱自在に構成されており、要時に、上部フレーム１及び２の一端部間に、樋支持部４１を介して固定される。
【００２７】
屋外に設置されたエスカレーターにおいて上記構成の作業用シールド装置を使用する場合、作業者は、先ず、折り畳まれている支持フレーム５を広げ、上部フレーム１及び２の間隔を移動手摺２９の幅に合わせる。そして、樋４０が固定可能な上部フレーム１及び２の一端部をエスカレーターの下部乗降口側に向けた状態で、手摺グリップ２８を一方の移動手摺２９に、手摺グリップ３１を他方の移動手摺２９に固定する。
【００２８】
次に、作業者は、シールド装置３２を、上部フレーム１及び２の各他端部間に取り付ける。この状態で、スクリーン３５は、支持軸３４に巻き取られている。また、シールド装置３７を、上部フレーム１或いは２に取り付け、その日の天気に応じて、上部フレーム１及び２の各一端部間に樋４０を取り付ける。
【００２９】
シールド装置３２等を上部フレーム１及び２に固定した後、作業者は、支持フレーム１６及び２７を広げてシールド装置３２等を上方に移動させ、作業に適した高さに配置する。
【００３０】
シールド装置３２等の高さを設定した後、作業者は、シールド装置３２のフック３６を下方に引っ張り、スクリーン３５を引き出す。そして、フック３６を、例えば、エスカレーターのステップ軸に引っ掛けて、スクリーン３５を静止させる。シールド装置３２は、作業用シールド装置の上部乗降口側でエスカレーターの幅方向に配置されている。このため、作業用シールド装置をエスカレーターの傾斜部分に設置した場合は、スクリーン３５によって、斜め上向き（上部乗降口側）に形成される開口を完全に覆うことができる。
【００３１】
また、作業者は、シールド装置３７のフック３９を側方に引っ張り、スクリーン３８を引き出す。そして、フック３９を、例えば、上部フレーム１に引っ掛けてスクリーン３８を静止させる。或いは、フック３９を下部フレーム３に引っ掛けて、上部フレーム１及び２間と上部フレーム１及び下部フレーム３間との双方を、スクリーン３８によって覆う。
【００３２】
上記構成を有する作業用シールド装置であれば、屋外に設置されたエスカレーターで作業を行う場合に、その作業環境を大幅に向上させることができる。エスカレーターの傾斜部分で作業を行う場合であっても、上部乗降口側から雨や風が吹き込んだり、日差しが照り付けたりすることはない。
また、骨組みが折り畳み自在であるため、作業現場で容易に組み立てを行うことができる。また、作業終了後は小さく折り畳むことができ、運搬も容易である。
【００３３】
図６は本作業用シールド装置の他の構成例を示す図であり、支持フレーム１６及び２７をパンタグラフ構造としたものを示している。
かかる構成であっても、上記と同様の機能及び効果を奏することができる。
【符号の説明】
【００３４】
１、２  上部フレーム
３、４  下部フレーム
５、１６、２７  支持フレーム
６〜９、１７〜２０  伸縮フレーム
１０〜１４、２１〜２５  フレーム支持軸
１５、２６  連結材
２８、３１  手摺グリップ
２９  移動手摺
３０  取付ボルト
３２、３７  シールド装置
３３  固定台
３４  支持軸
３５、３８  スクリーン
３６、３９  フック
４０  樋
４１  樋支持部
【図１】
2012206802.tif 000003
【図２】
2012206802.tif 000004
【図３】
2012206802.tif 000005
【図４】
2012206802.tif 000006
【図５】
2012206802.tif 000007
【図６】
2012206802.tif 000008